(57)【要約】【課題】標準的な標準装置の価格で、各個人毎の身体的な特徴を考慮したボタン配置が可能な表示制御装置およびその表示内容の配置方法を提供する。【解決手段】タッチパネルにより操作者の特定情報を入力すると、操作者特定手段が操作者の認証を行い、表示制御部が表示装置に押圧面積検出画面を表示し、押圧面積検出手段が押圧面積を検出し、先程入力された操作者の特定情報と関連付けて検出した押圧面積を配置情報として配置情報格納部に登録し、表示制御部が表示装置に配置間隔検出画面を表示し、配置間隔検出手段が配置間隔を検出し、操作者の特定情報と関連付けて検出した配置間隔を配置情報として配置情報格納部に登録し、ボタン配置決定部が配置情報に基づいてボタン配置決定部が表示するボタンの大きさおよび各ボタンの間隔を決定し、決定したボタンの大きさおよび各ボタンの間隔に基づいて表示制御部がボタンを表示する。【選択図】図１
2006268313.tif 000002
【特許請求の範囲】
【請求項１】
タッチパネルを有する表示装置に表示する表示内容を制御する表示制御装置において、
前記タッチパネルが押圧された位置を示す押圧情報に基づき、前記表示装置に表示する仮想キー入力のための選択表示領域の配置情報を検出する検出手段と、
前記検出手段で検出した配置情報に基づき、前記表示装置に表示する選択表示領域の配置を決定する選択表示領域配置決定手段と、
前記選択表示領域配置決定手段で決定した選択表示領域の配置に従って、前記表示装置に該選択表示領域を表示する表示制御手段と
を具備することを特徴とする表示制御装置。
【請求項２】
前記検出手段は、
前記押圧情報に基づいて前記タッチパネルが押圧された押圧面積を検出し、該検出した押圧面積から押圧面積の高さおよび幅を検出する押圧面積検出手段と、
前記押圧面積検出手段が検出した押圧面積の高さおよび幅を前記配置情報として格納する配置情報格納手段と
を具備し、
前記選択表示領域配置決定手段は、
前記押圧面積検出手段が検出した押圧面積の高さおよび幅に基づき、前記選択表示領域の大きさを決定する
ことを特徴とする請求項１記載の表示制御装置。
【請求項３】
前記検出手段は、
所定時間内における前記押圧面積の変化を監視し、該所定時間内における最大の押圧面積から押圧面積の高さおよび幅を検出する
ことを特徴とする請求項２記載の表示制御装置。
【請求項４】
前記検出手段は、
２つの押圧情報に基づき、複数の選択表示領域を配置する際の各選択表示領域の配置間隔を検出する配置間隔検出手段と、
前記配置間隔検出手段が検出した配置間隔を前記配置情報として格納する配置情報格納手段と
を具備し、
前記選択表示領域配置決定手段は、
前記押圧面積検出手段が検出した配置間隔に基づき、前記選択表示領域の配置間隔を決定する
ことを特徴とする請求項１記載の表示制御装置。
【請求項５】
前記配置間隔検出手段は、
前記配置間隔を検出するための配置間隔検出画面に表示した２つの押圧点に対して押圧される２つの押圧情報に基づいて２つの押圧座標を検出し、
該検出した２つの押圧座標が重複するか否か確認し、
前記２つの押圧座標が重複しない場合、前記２つの押圧点の間隔を前記配置間隔に決定する
ことを特徴とする請求項４記載の表示制御装置。
【請求項６】
前記２つの押圧点の間隔が異なる複数の種類の配置間隔検出画面を予め用意し、
前記配置間隔検出手段は、
前記２つの押圧座標が重複する場合、前記２つの押圧点の間隔が広い配置間隔検出画面で前記配置間隔を再検出する
ことを特徴とする請求項５記載の表示制御装置。
【請求項７】
操作者の特定情報を特定する操作者特定手段
を更に具備し、
前記操作者特定手段が特定した操作者の特定情報と、前記検出手段が検出した配置情報とを関連付けて前記配置情報格納手段に格納する
ことを特徴とする請求項１記載の表示制御装置。
【請求項８】
前記選択表示領域配置決定手段は、
前記操作者特定手段で特定した操作者の特定情報と関連付けられた配置情報が前記配置情報格納手段に格納されている場合、該配置情報に基づいて決定する
ことを特徴とする請求項７記載の表示制御装置。
【請求項９】
場所の特定情報を特定する場所特定手段
を更に具備し、
前記場所特定手段が特定した場所の特定情報と、前記検出手段が検出した配置情報とを関連付けて前記配置情報格納手段に格納する
ことを特徴とする請求項１記載の表示制御装置。
【請求項１０】
前記選択表示領域配置決定手段は、
前記操作者特定手段で特定した場所の特定情報と関連付けられた配置情報が前記配置情報格納手段に格納されている場合、該配置情報に基づいて決定する
ことを特徴とする請求項９記載の表示制御装置。
【請求項１１】
前記押圧面積検出手段は、
指紋認証装置が取得する情報に基づき、前記押圧面積の高さおよび幅を検出する
ことを特徴とする請求項２記載の表示制御装置。
【請求項１２】
タッチパネルを有する表示装置に表示する表示内容を制御する表示制御装置の表示内容の配置方法において、
検出手段により前記タッチパネルが押圧された位置を示す押圧情報に基づき、前記表示装置に表示する仮想キー入力のための選択表示領域の配置情報を検出し、
選択表示領域配置決定手段により前記配置情報に基づき、前記表示装置に表示する選択表示領域の配置を決定し、
表示制御手段により前記選択表示領域の配置に従って、前記表示装置に該選択表示領域を表示する
ことを特徴とする表示制御装置の表示内容の配置方法。
【請求項１３】
前記検出手段は、
押圧面積検出手段により前記押圧情報に基づいて前記タッチパネルが押圧された押圧面積を検出し、該検出した押圧面積から押圧面積の高さおよび幅を検出し、
該検出した押圧面積の高さおよび幅を前記配置情報として配置情報格納手段に格納し、
前記選択表示領域配置決定手段は、
前記押圧面積の高さおよび幅に基づき、前記選択表示領域の大きさを決定する
ことを特徴とする請求項１２記載の表示制御装置の表示内容の配置方法。
【請求項１４】
前記検出手段は、
所定時間内における前記押圧面積の変化を監視し、該所定時間内における最大の押圧面積から押圧面積の高さおよび幅を検出する
ことを特徴とする請求項１３記載の表示制御装置の表示内容の配置方法。
【請求項１５】
前記検出手段は、
配置間隔検出手段により２つの押圧情報に基づき、複数の選択表示領域を配置する際の各選択表示領域の配置間隔を検出し、
該検出した配置間隔を前記配置情報として配置情報格納手段に格納し、
前記選択表示領域配置決定手段は、
前記配置間隔に基づき、前記選択表示領域の配置間隔を決定する
ことを特徴とする請求項１２記載の表示制御装置の表示内容の配置方法。
【請求項１６】
前記配置間隔検出手段は、
前記配置間隔を検出するための配置間隔検出画面に表示した２つの押圧点に対して押圧される２つの押圧情報に基づいて２つの押圧座標を検出し、
該検出した２つの押圧座標が重複するか否か確認し、
前記２つの押圧座標が重複しない場合、前記２つの押圧点の間隔を前記配置間隔に決定する
ことを特徴とする請求項１５記載の表示制御装置の表示内容の配置方法。
【請求項１７】
前記２つの押圧点の間隔が異なる複数の種類の配置間隔検出画面を予め用意し、
前記配置間隔検出手段は、
前記２つの押圧座標が重複する場合、前記２つの押圧点の間隔が広い配置間隔検出画面で前記配置間隔を再検出する
ことを特徴とする請求項１６記載の表示制御装置の表示内容の配置方法。
【請求項１８】
操作者特定手段により操作者の特定情報を特定し、
前記操作者の特定情報と前記配置情報とを関連付けて前記配置情報格納手段に格納する
ことを特徴とする請求項１２記載の表示制御装置の表示内容の配置方法。
【請求項１９】
前記選択表示領域配置決定手段は、
前記操作者の特定情報と関連付けられた配置情報が前記配置情報格納手段に格納されている場合、該配置情報に基づいて決定する
ことを特徴とする請求項１８記載の表示制御装置の表示内容の配置方法。
【請求項２０】
場所特定手段により場所の特定情報を特定し、
前記場所の特定情報と前記配置情報とを関連付けて前記配置情報格納手段に格納する
ことを特徴とする請求項１２記載の表示制御装置の表示内容の配置方法。
【請求項２１】
前記選択表示領域配置決定手段は、
前記場所の特定情報と関連付けられた配置情報が前記配置情報格納手段に格納されている場合、該配置情報に基づいて決定する
ことを特徴とする請求項２０記載の表示制御装置の表示内容の配置方法。
【請求項２２】
前記押圧面積検出手段は、
指紋認証装置が取得する情報に基づき、前記押圧面積の高さおよび幅を検出する
ことを特徴とする請求項１３記載の表示制御装置の表示内容の配置方法。
【発明の詳細な説明】
【技術分野】
【０００１】
本発明は、表示制御装置およびその表示内容の配置方法に関し、特に、タッチパネルを有する表示装置に表示する表示内容を制御する表示制御装置およびその表示内容の配置方法に関する。
【背景技術】
【０００２】
従来、タッチパネルを有する表示装置を操作する場合、予め固定的に決定されたボタンの大きさ、配置されたボタンを操作しなければならず、操作者の身体的な特徴を考慮したものではなかった。また、複数の人が共有する装置の場合、各個人毎の身体的な特徴を考慮することが困難であり、標準的な特徴から決定されるボタンの大きさ、配置をしなければならないといった問題があった。
【０００３】
ここで、操作者の特徴を検出して利用するものとしては、例えば、タッチパネルに対するタッチの強弱を検出することで機能を選択する電気機器とユーザとのインターフェースを容易にする方法および電気機器用ユーザインターフェースがある（例えば、特許文献１参照。）。
【０００４】
また、例えば、押圧座標を押圧の仕方による変化を考慮して補正することにより、小さな入力用画像の誤入力を防止するタッチパネル付き入力装置がある（例えば、特許文献２参照。）。
【０００５】
また、例えば、タブレットの接触面から接触面積に対応して、相対座標と絶対座標を自動的に切り換えて出力する座標入力装置および方法、並びに情報処理装置がある（例えば、特許文献３参照。）。
【０００６】
また、例えば、操作点からのずれ量に着目し、選択制御するタッチパネルを併設した情報表示装置がある（例えば、特許文献４参照。）。
【０００７】
また、例えば、表示されたキー位置と指の位置とのずれ量に基づいてボリュームを用いてキーの位置／サイズを調整する入力装置及び該装置における表示キーの調整方法がある（例えば、特許文献５参照。）。
【０００８】
また、例えば、予めボタンサイズより大きい反応領域を選択可能とするタッチパネル装置のタッチ操作処理方法がある（例えば、特許文献６参照。）。
【特許文献１】特開２００４−７８９６１号公報
【特許文献２】特開平８−２４９１０９号公報
【特許文献３】特開平８−３０７９５４号公報
【特許文献４】特開平１０−９６６４８号公報
【特許文献５】特開２０００−２３１４３８号公報
【特許文献６】特開平１１−１７５２１２号公報
【発明の開示】
【発明が解決しようとする課題】
【０００９】
しかし、特定の操作者を想定した、例えば、表示面積や表示画素が大きな表示装置を付け替え可能とするものも商品化されているが、そのための価格が標準的なものより高価になってしまうという課題もあった。
【００１０】
そこで、本発明は、上記問題点を鑑みて、標準的な標準装置の価格で、各個人毎の身体的な特徴を考慮したボタン配置が可能な表示制御装置およびその表示内容の配置方法を提供することを目的とする。
【課題を解決するための手段】
【００１１】
上記目的を達成するため、請求項１の発明は、タッチパネルを有する表示装置に表示する表示内容を制御する表示制御装置において、前記タッチパネルが押圧された位置を示す押圧情報に基づき、前記表示装置に表示する仮想キー入力のための選択表示領域の配置情報を検出する検出手段と、前記検出手段で検出した配置情報に基づき、前記表示装置に表示する選択表示領域の配置を決定する選択表示領域配置決定手段と、前記選択表示領域配置決定手段で決定した選択表示領域の配置に従って、前記表示装置に該選択表示領域を表示する表示制御手段とを具備することを特徴とする。
【００１２】
また、請求項２の発明は、請求項１の発明において、前記検出手段は、前記押圧情報に基づいて前記タッチパネルが押圧された押圧面積を検出し、該検出した押圧面積から押圧面積の高さおよび幅を検出する押圧面積検出手段と、前記押圧面積検出手段が検出した押圧面積の高さおよび幅を前記配置情報として格納する配置情報格納手段とを具備し、前記選択表示領域配置決定手段は、前記押圧面積検出手段が検出した押圧面積の高さおよび幅に基づき、前記選択表示領域の大きさを決定することを特徴とする。
【００１３】
また、請求項３の発明は、請求項２の発明において、前記検出手段は、所定時間内における前記押圧面積の変化を監視し、該所定時間内における最大の押圧面積から押圧面積の高さおよび幅を検出することを特徴とする。
【００１４】
また、請求項４の発明は、請求項１の発明において、前記検出手段は、２つの押圧情報に基づき、複数の選択表示領域を配置する際の各選択表示領域の配置間隔を検出する配置間隔検出手段と、前記配置間隔検出手段が検出した配置間隔を前記配置情報として格納する配置情報格納手段とを具備し、前記選択表示領域配置決定手段は、前記押圧面積検出手段が検出した配置間隔に基づき、前記選択表示領域の配置間隔を決定することを特徴とする。
【００１５】
また、請求項５の発明は、請求項４の発明において、前記配置間隔検出手段は、前記配置間隔を検出するための配置間隔検出画面に表示した２つの押圧点に対して押圧される２つの押圧情報に基づいて２つの押圧座標を検出し、該検出した２つの押圧座標が重複するか否か確認し、前記２つの押圧座標が重複しない場合、前記２つの押圧点の間隔を前記配置間隔に決定することを特徴とする。
【００１６】
また、請求項６の発明は、請求項５の発明において、前記２つの押圧点の間隔が異なる複数の種類の配置間隔検出画面を予め用意し、前記配置間隔検出手段は、前記２つの押圧座標が重複する場合、前記２つの押圧点の間隔が広い配置間隔検出画面で前記配置間隔を再検出することを特徴とする。
【００１７】
また、請求項７の発明は、請求項１の発明において、操作者の特定情報を特定する操作者特定手段を更に具備し、前記操作者特定手段が特定した操作者の特定情報と、前記検出手段が検出した配置情報とを関連付けて前記配置情報格納手段に格納することを特徴とする。
【００１８】
また、請求項８の発明は、請求項７の発明において、前記選択表示領域配置決定手段は、前記操作者特定手段で特定した操作者の特定情報と関連付けられた配置情報が前記配置情報格納手段に格納されている場合、該配置情報に基づいて決定することを特徴とする。
【００１９】
また、請求項９の発明は、請求項１の発明において、場所の特定情報を特定する場所特定手段を更に具備し、前記場所特定手段が特定した場所の特定情報と、前記検出手段が検出した配置情報とを関連付けて前記配置情報格納手段に格納することを特徴とする。
【００２０】
また、請求項１０の発明は、請求項９の発明において、前記選択表示領域配置決定手段は、前記操作者特定手段で特定した場所の特定情報と関連付けられた配置情報が前記配置情報格納手段に格納されている場合、該配置情報に基づいて決定することを特徴とする。
【００２１】
また、請求項１１の発明は、請求項２の発明において、前記押圧面積検出手段は、指紋認証装置が取得する情報に基づき、前記押圧面積の高さおよび幅を検出することを特徴とする。
【００２２】
また、請求項１２の発明は、タッチパネルを有する表示装置に表示する表示内容を制御する表示制御装置の表示内容の配置方法において、検出手段により前記タッチパネルが押圧された位置を示す押圧情報に基づき、前記表示装置に表示する仮想キー入力のための選択表示領域の配置情報を検出し、選択表示領域配置決定手段により前記配置情報に基づき、前記表示装置に表示する選択表示領域の配置を決定し、表示制御手段により前記選択表示領域の配置に従って、前記表示装置に該選択表示領域を表示することを特徴とする。
【００２３】
また、請求項１３の発明は、請求項１２の発明において、前記検出手段は、押圧面積検出手段により前記押圧情報に基づいて前記タッチパネルが押圧された押圧面積を検出し、該検出した押圧面積から押圧面積の高さおよび幅を検出し、該検出した押圧面積の高さおよび幅を前記配置情報として配置情報格納手段に格納し、前記選択表示領域配置決定手段は、前記押圧面積の高さおよび幅に基づき、前記選択表示領域の大きさを決定することを特徴とする。
【００２４】
また、請求項１４の発明は、請求項１３の発明において、前記検出手段は、所定時間内における前記押圧面積の変化を監視し、該所定時間内における最大の押圧面積から押圧面積の高さおよび幅を検出することを特徴とする。
【００２５】
また、請求項１５の発明は、請求項１２の発明において、前記検出手段は、配置間隔検出手段により２つの押圧情報に基づき、複数の選択表示領域を配置する際の各選択表示領域の配置間隔を検出し、該検出した配置間隔を前記配置情報として配置情報格納手段に格納し、前記選択表示領域配置決定手段は、前記配置間隔に基づき、前記選択表示領域の配置間隔を決定することを特徴とする。
【００２６】
また、請求項１６の発明は、請求項１５の発明において、前記配置間隔検出手段は、前記配置間隔を検出するための配置間隔検出画面に表示した２つの押圧点に対して押圧される２つの押圧情報に基づいて２つの押圧座標を検出し、該検出した２つの押圧座標が重複するか否か確認し、前記２つの押圧座標が重複しない場合、前記２つの押圧点の間隔を前記配置間隔に決定することを特徴とする。
【００２７】
また、請求項１７の発明は、請求項１６の発明において、前記２つの押圧点の間隔が異なる複数の種類の配置間隔検出画面を予め用意し、前記配置間隔検出手段は、前記２つの押圧座標が重複する場合、前記２つの押圧点の間隔が広い配置間隔検出画面で前記配置間隔を再検出することを特徴とする。
【００２８】
また、請求項１８の発明は、請求項１２の発明において、操作者特定手段により操作者の特定情報を特定し、前記操作者の特定情報と前記配置情報とを関連付けて前記配置情報格納手段に格納することを特徴とする。
【００２９】
また、請求項１９の発明は、請求項１８の発明において、前記選択表示領域配置決定手段は、前記操作者の特定情報と関連付けられた配置情報が前記配置情報格納手段に格納されている場合、該配置情報に基づいて決定することを特徴とする。
【００３０】
また、請求項２０の発明は、請求項１２の発明において、場所特定手段により場所の特定情報を特定し、前記場所の特定情報と前記配置情報とを関連付けて前記配置情報格納手段に格納することを特徴とする。
【００３１】
また、請求項２１の発明は、請求項２０の発明において、前記選択表示領域配置決定手段は、前記場所の特定情報と関連付けられた配置情報が前記配置情報格納手段に格納されている場合、該配置情報に基づいて決定することを特徴とする。
【００３２】
また、請求項２２の発明は、請求項１３の発明において、前記押圧面積検出手段は、指紋認証装置が取得する情報に基づき、前記押圧面積の高さおよび幅を検出することを特徴とする。
【発明の効果】
【００３３】
本発明によれば、操作者の指の大きさに応じた選択ボタンの大きさおよび配置がなされるので、個人差や人種差による誤操作を防止することが可能になるという効果を奏する。
【００３４】
更に、本発明によれば、操作ペン等を使用する場合には、表示スペースを有効利用することが可能になるという効果を奏する。
【発明を実施するための最良の形態】
【００３５】
以下、本発明に係る表示制御装置およびその表示内容の配置方法の実施の形態について添付図面を参照して詳細に説明する。
【００３６】
図１は、本発明に係る表示制御装置１の機能的な構成の一例を示すブロック図である。
【００３７】
図１に示すように、表示制御装置１は、座標検出部２、機能判定部３、表示制御部４、特定部５、検出部６、ボタン配置決定部７、配置情報格納制御部８、配置情報格納部９を具備して構成され、表示制御装置１は、液晶ディスプレイ等から構成される表示装置１０と、この表示装置１０の表示画面の前面に取り付けられたタッチパネル１１と、表示制御装置１および表示装置１０を内蔵する、例えば、複合機等の主制御部１２と接続している。
【００３８】
座標検出部２は、タッチパネル１１からの押圧情報に基づいてタッチパネル１１の操作位置を座標情報として検出する処理を行う。
【００３９】
機能判定部３は、座標検出部２が検出した座標情報に対応する機能の有無を判定する処理を行う。なお、機能が有りと判定した場合、主制御部１２または表示制御部１０に対してタッチパネル１１から機能が指定された旨を出力する。
【００４０】
表示制御部４は、表示装置１０に対する図、文字等の表示を制御する処理を行い、具体的には、表示装置１０の表示画面にタッチパネル１１に対応するボタンの配置等を行う。
【００４１】
特定部５は、タッチパネル１１から入力された操作者の特定情報（例えば、ユーザ名、パスワード等）に基づいて操作者の特定を行う操作者特定手段１３と、タッチパネル１１から入力された国の特定情報（例えば、国コード、文字列等）に基づいて国（例えば、表示制御装置が設置されている国、操作者の国籍等）の特定を行う国特定手段１４とを有する。
【００４２】
検出部６は、操作者の指によるタッチパネル１１への実際の押圧情報に基づいて押圧面積を検出する押圧面積検出手段１５と、操作者の指によるタッチパネル１１への実際の２つの押圧情報に基づいて配置間隔を検出する配置間隔検出手段１６とを有する。
【００４３】
ボタン配置決定部７は、押圧面積検出手段１５で検出した押圧面積と配置間隔検出手段１６で検出した配置間隔とに基づいてタッチパネル１１に対応するボタンの大きさおよび配置（以後、配置情報と称する）を決定する。
【００４４】
配置情報格納制御部８は、配置情報格納部９への配置情報の読み出しおよび書き込みの制御処理を行う。
【００４５】
図２は、押圧面積検出手段１５が行う押圧面積の検出について説明する図である。
【００４６】
表示装置１０の表示画面に押圧面積検出画面を表示する。この押圧面積検出画面には押圧を指定する部分（以後、押圧点と称する）が表示されており、操作者は押圧点に指を押圧（即ち、タッチパネル１１に指を押圧）することで、タッチパネル１１は検出部６に押圧情報を通知する。
【００４７】
タッチパネル１１からの押圧情報は、検出分解能で分割された格子状のデータとして通知される。この時、一定時間後の格子状のデータの数の変化が、増加傾向であれば、押圧面積が確定していないと判断し、増加傾向から減少傾向に移行した段階、即ち格子状のデータの数が最大である時点を押圧面積として判断する。
【００４８】
具体的には、操作者がタッチパネル１１に押圧を開始（開始時刻＝ｔ０）すると、開始時刻からｔ１が経過した押圧情報を示す格子状のデータは図２（ａ）に示される。この格子状のデータは、黒塗りの格子が押圧された部分を示し、白塗りの格子が押圧されていない部分を示す。
【００４９】
そして、開始時刻からｔ２（ｔ２＞ｔ１）が経過した押圧情報を示す格子状のデータは図２（ｂ）に示される。ここで、時刻ｔ１から時刻ｔ２への格子状のデータの数の変化は増加傾向であるため、押圧面積はまだ確定できない。
【００５０】
そして、開始時刻からｔ３（ｔ３＞ｔ２）が経過した押圧情報を示す格子状のデータは図２（ｃ）に示される。ここで、時刻ｔ２から時刻ｔ３への格子状のデータの数の変化は増加傾向であるものの、開始器時刻からｔ４（ｔ４＞ｔ３）が経過した押圧面積を示す格子状のデータは図２（ｄ）に示され、時刻ｔ３から時刻ｔ４への格子状のデータの数の変化は減少傾向であるため、時刻ｔ３の格子状のデータの数が最大である時点と判断し、時刻ｔ３の格子状のデータから押圧面積の高さ（＝ｈ）および幅（＝ｗ）を検出する。
【００５１】
図３は、配置間隔検出手段１６が行う配置間隔の検出について説明する図である。
【００５２】
表示装置１０の表示画面に配置間隔検出画面を表示する。この配置間隔検出画面には押圧を指定する部分（以後、押圧点と称する）１７が２つ表示されており、操作者は２つの押圧点１７に指を押圧（即ち、タッチパネル１１に指を押圧）することで、タッチパネル１１は検出部６に押圧情報を通知する。なお、表示制御装置１は２つの押圧点１７の間隔（＝Ｌ）が異なる３種類の配置間隔検出画面を用意している。
【００５３】
図３（ａ）は、第１の配置間隔検出画面に表示される２つの押圧点１７を示す図である。図３（ａ）に示すように、２つの押圧点１７の間隔はＬ１になっており、操作者はこの２つの押圧点１７の中心部分に指を押圧する。
【００５４】
ここで、操作者の指１８の押圧が図３（ｂ）に示すものである場合、押圧情報は重複していないと判断し、配置間隔がＬ１に決定する。また、操作者の指の押圧が図３（ｃ）に示すものである場合、押圧情報は重複している（即ち、図３に示すように重複領域１９が存在）と判断し、図３（ｄ）に示す２つの押圧点１７の間隔がＬ２になっている第２の配置間隔検出画面を表示し、再度、操作者は第２の配置間隔検出画面に表示されている２つの押圧点１７に指を押圧する。
【００５５】
ここで、押圧情報が重複していないと判断した場合は配置間隔がＬ２に決定するが、押圧情報が重複していると判断した場合は、図３（ｅ）に示す２つの押圧点１７の間隔がＬ３になっている第３の配置間隔検出画面を表示し、再度、操作者は第３の配置間隔検出画面に表示されている２つの押圧点１７に指を押圧する。
【００５６】
ここで、押圧情報が重複していないと判断した場合は配置間隔がＬ３に決定するが、押圧情報が重複していると判断した場合は、予め設定した最大配置間隔が決定する。
【００５７】
なお、表示制御装置１が用意する配置間隔検出画面は３種類に限定する必要は無く、多くの種類の配置間隔検出画面を用意しても良いし、１つだけの配置間隔検出画面を用意しても良い。
【００５８】
そして、ボタン配置決定部７は、押圧面積検出手段１５で検出した押圧面積の高さおよび幅と、配置間隔検出画面１６で検出した配置間隔とに基づいてタッチパネル１１に対応するボタンの配置情報を決定する。
【００５９】
図４は、ボタン配置決定部７で決定した配置情報に従って表示装置１０の表示画面に表示したボタンの位置調整例を示す図である。
【００６０】
ボタン配置決定部７は、押圧面積検出手段１５で検出した押圧面積の高さおよび幅に基づいてボタンの大きさを決定し、配置間隔検出手段１６で検出した配置間隔に基づいて各ボタン間の配置間隔を決定する。
【００６１】
例えば、押圧面積検出手段１５で検出した押圧面積の高さがｈ１、押圧面積の幅がｗ１、配置間隔検出手段１６で検出した配置間隔がＬ１である場合のボタンの位置調整例を図４（ａ）に示す。
【００６２】
始めは、表示装置１０の表示画面には、図４（ａ）に示すボタン配置であったが、ある操作者から検出した押圧面積の高さ、押圧面積の幅、配置間隔がそれぞれｈ２（ｈ２＞ｈ１）、ｗ２（ｗ２＞ｗ１）、Ｌ２（Ｌ２＞Ｌ１）である場合、ボタン配置は図４（ｂ）に示すようになる。
【００６３】
つまり、操作者の指の大きさに応じて操作者の使い勝手の良いようにボタンを配置することができる。
【００６４】
図５は、図４とは別のボタンの位置調整例を示す図である。
【００６５】
始めは、表示装置１０の表示画面には、図５（ａ）に示すボタン配置であったが、指の小さな操作者が操作する場合、または操作ペン等を使用して操作する場合、ボタンの大きさおよび各ボタンの配置間隔を小さくすることができ、図５（ｂ）に示すように、表示するボタンの数を増やすことができ、操作者の操作手順を削減することになる。
【００６６】
次に、表示制御装置で行われる表示制御処理について図６に示すフローチャートを参照して説明する。
【００６７】
始めに、操作者がタッチパネルにより操作者の特定情報を入力すると、操作者特定手段が操作者の認証を行い（ステップＳ６０１）、認証した操作者に対応する配置情報が登録済みであるか否かボタン配置決定部が判断し、配置情報が登録済みである場合（ステップＳ６０２でＹＥＳ）、ステップＳ６０７に進み、また、配置情報が登録済みではない場合（ステップＳ６０２でＮＯ）、ステップＳ６０３に進む。
【００６８】
配置情報が登録済みではない場合（ステップＳ６０２でＮＯ）、表示制御部が表示装置の表示画面に押圧面積検出画面を表示し（ステップＳ６０３）、押圧面積検出手段が押圧面積を検出し、先程入力された操作者の特定情報と関連付けて検出した押圧面積を配置情報として配置情報格納部に登録し（ステップＳ６０４）、表示制御部が表示装置の表示画面に配置間隔検出画面を表示し（ステップＳ６０５）、配置間隔検出手段が配置間隔を検出し、操作者の特定情報と関連付けて検出した配置間隔を配置情報として配置情報格納部に登録し（ステップＳ６０６）、登録した配置情報をボタン配置決定部が読み出し（ステップＳ６０７）、読み出した配置情報に基づいてボタン配置決定部が表示するボタンの大きさおよび各ボタンの間隔を決定し（ステップＳ６０８）、決定したボタンの大きさおよび各ボタンの間隔に基づいて表示制御部がボタンを表示し（ステップＳ６０９）、表示制御処理を終了する。
【００６９】
また、配置情報が登録済みである場合（ステップＳ６０２でＹＥＳ）、先程入力された操作者の特定情報と関連付けて登録した配置情報をボタン配置決定部が読み出し（ステップＳ６０７）、読み出した配置情報に基づいてボタン配置決定部が表示するボタンの大きさおよび各ボタンの間隔を決定し（ステップＳ６０８）、決定したボタンの大きさおよび各ボタンの間隔に基づいて表示制御部がボタンを表示し（ステップＳ６０９）、表示制御処理を終了する。
【００７０】
次に、図６に示すフローチャートのステップＳ６０４で行われる押圧面積検出処理について図７に示すフローチャートを参照して説明する。
【００７１】
表示制御部が表示装置の表示画面に図８に示すような押圧面積検出画面を表示し（ステップＳ７０１）、操作者の押圧を検出すると（ステップＳ７０２でＹＥＳ）、押圧の検出座標値を保持し（ステップＳ７０３）、一定時間が経過すると（ステップＳ７０４でＹＥＳ）、先程保持した押圧の検出座標値と現在の押圧の検出座標値とを比較し（ステップＳ７０５）、押圧面積が増加していると判断した場合（ステップＳ７０６でＹＥＳ）、ステップ７０４に戻り、押圧面積が減少していると判断した場合（ステップＳ７０６でＮＯ）、操作者の特定情報と関連付けて、現在の検出座標値から検出した押圧面積を配置情報として配置情報格納部に登録し（ステップＳ７０７）、押圧面積検出処理を終了する。
【００７２】
次に、図６に示すフローチャートのステップＳ６０６で行われる配置間隔検出処理について図９に示すフローチャートを参照して説明する。
【００７３】
表示制御部が表示装置の表示画面に図１０（ａ）に示すような第１の配置間隔検出画面を表示し（ステップＳ９０１）、第１の押圧点に対する押圧の検出座標値を検出して保持し（ステップＳ９０２）、第２の押圧点に対する押圧の検出座標値を検出して保持し（ステップＳ９０３）、第１の押圧点に対する押圧の検出座標値と、第２の押圧点に対する押圧の検出座標値とを比較し、座標が重複していないと判断した場合（ステップＳ９０４でＮＯ）、ステップＳ９０５に進み、また、座標が重複していると判断した場合（ステップＳ９０４でＹＥＳ）、ステップＳ９０６に進む。
【００７４】
座標が重複していないと判断した場合（ステップＳ９０４でＮＯ）、第１の配置間隔検出画面における第１の押圧点と第２の押圧点との間隔を配置間隔として設定し（ステップＳ９０５）、配置間隔検出処理を終了する。
【００７５】
また、座標が重複していると判断した場合（ステップＳ９０４でＹＥＳ）、次の配置間隔検出画面が存在するか否か確認し、次の配置間隔検出画面が存在することを確認した場合（ステップＳ９０６でＹＥＳ）、ステップＳ９０７に進み、また、次の配置間隔検出画面が存在しないことを確認した場合（ステップＳ９０６でＮＯ）、ステップＳ９０８に進む。
【００７６】
次の配置間隔検出画面が存在することを確認した場合（ステップＳ９０６でＹＥＳ）、表示制御部が次の配置間隔検出画面（即ち、第１の配置間隔検出画面で座標が重複していた場合は図１０（ｂ）に示すような第２の配置間隔検出画面、第２の配置間隔検出画面で座標が重複していた場合は図１０に示すような第３の配置間隔検出画面）を表示装置の表示画面に表示し（ステップＳ９０７）、ステップＳ９０２に戻る。
【００７７】
また、次の配置間隔検出画面が存在しないことを確認した場合（ステップＳ９０６でＮＯ）、予め設定した最大の間隔を配置間隔として設定し（ステップＳ９０８）、配置間隔検出処理を終了する。
【００７８】
図１１は、配置情報格納部９に格納されている配置情報テーブルの一例を示す図である。
【００７９】
図１１（ａ）は、操作者毎の配置情報テーブルの一例を示す図であり、図１１（ｂ）は、国毎の配置情報テーブルの一例を示す図である。なお、実際に検出部６で検出した配置情報を配置情報テーブルに登録する構成（特に、操作者毎の配置情報テーブルに対して）でも良いし、表示制御装置の管理者が予め操作者毎の配置情報を配置情報テーブルに登録する構成（特に、国毎の配置情報テーブルに対して）でも良い。
【００８０】
また、表示制御装置１に認証装置（例えば、操作者の指紋に基づいて認証を行う指紋認証装置等）を接続し、認証装置による操作者の特定と同時に、操作者の指の大きさに関する情報を利用してボタンの配置を決定する構成を採用しても良い。なお、このような構成を採用した場合は押圧面積検出手段１５は必須としない。
【図面の簡単な説明】
【００８１】
【図１】本発明に係る表示制御装置の機能的な構成の一例を示すブロック図である。
【図２】押圧面積検出手段が行う押圧面積の検出について説明する図である。
【図３】配置間隔検出手段が行う配置間隔の検出について説明する図である。
【図４】ボタン配置決定部で決定した配置情報に従って表示装置の表示画面に表示したボタンの位置調整例を示す図である。
【図５】図４とは別のボタンの位置調整例を示す図である。
【図６】表示制御装置で行われる表示制御処理を示すフローチャートである。
【図７】図６に示すフローチャートのステップＳ６０４で行われる押圧面積検出処理を示すフローチャートである。
【図８】押圧面積検出画面の一例を示す図である。
【図９】図６に示すフローチャートのステップＳ６０６で行われる配置間隔検出処理を示すフローチャートである。
【図１０】配置間隔検出画面の一例を示す図である。
【図１１】配置情報格納部に格納されている配置情報テーブルの一例を示す図である。
【符号の説明】
【００８２】
１    表示制御装置
２    座標検出部
３    機能判定部
４    表示制御部
５    特定部
６    検出部
７    ボタン配置決定部
８    配置情報格納制御部
９    配置情報格納部
１０    表示装置
１１    タッチパネル
１２    主制御部
１３    操作者特定手段
１４    国特定手段
１５    押圧面積検出手段
１６    配置間隔検出手段
１７    押圧点
１８    指
１９    重複領域
【図１】
2006268313.tif 000003
【図２】
2006268313.tif 000004
【図３】
2006268313.tif 000005
【図４】
2006268313.tif 000006
【図５】
2006268313.tif 000007
【図６】
2006268313.tif 000008
【図７】
2006268313.tif 000009
【図８】
2006268313.tif 000010
【図９】
2006268313.tif 000011
【図１０】
2006268313.tif 000012
【図１１】
2006268313.tif 000013